(57)【要約】      （修正有）【課題】異なる形状や大きさの複数の壜を固定して収容しうる固定構造を有し、長距離の輸送にも耐えうるように壜を強固に固定できる壜の収納容器を提供する。【解決手段】円筒形状に形成された胴部１１と、胴部１１の下端部１２を閉止するように固定された底部１３と、胴部１１の上端部１４を開閉可能に閉止する蓋体１５とを有する容器本体１６に、複数本の壜を胴部１１の軸方向に沿って収納しうる壜の収納容器１０であって、容器本体１６内方には、容器本体１６の内周面１８と当接するように配置された複数本の壜を、容器本体１６径方向内側より内周面１８に向って放射状に押圧して固定しうる壜押さえ具を備えている。【選択図】図１
0003196939.tif 000002
【実用新案登録請求の範囲】
【請求項１】
円筒形状に形成された胴部と、前記胴部の下端部を閉止するように固定された底部と、前記胴部の上端部を開閉可能に閉止する蓋体とを有する容器本体に、複数本の壜を前記胴部の軸方向に沿って収納しうる壜の収納容器であって、前記容器本体内方には、前記容器本体の内周面と当接するように配置された前記複数本の壜を、容器本体径方向内側より前記内周面に向って放射状に押圧して固定しうる壜押さえ具を備えていることを特徴とする壜の収納容器。
【請求項２】
前記壜押さえ具は、円筒形状に巻回された段ボール材によって形成され、前記複数本の壜の間には、各壜間の衝突を防ぐ仕切を有していることを特徴とする請求項１に記載の壜の収納容器。
【請求項３】
前記胴部は、剛性を有する紙管によって形成されると共に、前記底部は中密度繊維板（ＭＤＦ）によって形成されており、前記底部は、前記容器本体を床面に載置した際に床面と接触しないよう底上げして胴部に固定され、スツールとして使用可能に形成されていることを特徴とする請求項２に記載の壜の収納容器。
【請求項４】
前記容器本体の外周面には、コルクシートが貼着されていることを特徴とする請求項２または３に記載の壜の収納容器。
【考案の詳細な説明】
【技術分野】
【０００１】
本考案は、飲料等の壜を収納または輸送するための容器に関するものである。
【背景技術】
【０００２】
従来より、壜入り飲料には様ざまな形状、大きさのものがあり、大きさ、形状、収納本数に応じて複数の化粧箱を用意して収納する必要があった。
【０００３】
そのなかでもワインは、壜の大きさ、形状が規格化されており、様々な壜入り酒類の中では比較的多様性が低い傾向があるが、それでも、ワインの産地、ワインの種類、内容量などに応じて幾種もの形状、大きさの壜容器に充填されて流通し、それに応じて、複数種の化粧箱を使い分けて利用している。
【０００４】
このため、異なるワインの産地、ワインの種類、内容量のワインを複数本受注した際には、壜の大きさ毎に仕分け作業を行うと共に、化粧箱が複数必要となり、化粧箱にかかるコストが大きくなってしまっていた。
【０００５】
そこで、形状、大きさの異なる複数の壜をまとめて収納することができ、且つ、収納した壜を安全確実に輸送できる固定構造を有する容器が求められていた。
【０００６】
特許文献１には、壜を押圧規制しうる４枚の鍔部を有する緩衝材本体と仕切用リブを有する壜を収納する際に用いられる緩衝材が開示されている。このような構成によれば、径の異なる壜であっても鍔部の可動により容器側へと押圧され壜の揺動を規制することができる。
【０００７】
しかしながら、このような緩衝材を用いた場合には、壜の動きを規制することはできるが、しっかりと固定できるものではなかった。そこで、長距離の輸送にも耐えうるように強固に固定しうる容器が求められていた。
【０００８】
一方で、特許文献２においては、蝶番で連結された三辺の容器部体片を中空三角筒となるように構成した容器に、壜を配列して壜の間隙に緩衝体を挿入して壜の動揺を防ぐように構成された壜の運搬容器が開示されている。
【０００９】
しかしながら、特許文献２に開示された構成にあっては、壜が各容器部体片に向って押圧されるため、緩衝体を強く挿入して固定する場合には、各容器部体片や各容器部体片を連結する蝶番に大きな負荷が加わり容器部体片の変形や蝶番の破損などといった不具合があり、より強固に固定することができる強度の高い容器が望まれていた。
【特許文献１】公開実用新案第昭和５０−０６５８７１号公報
【特許文献２】実用新案出願公告第昭和４５−０００５０６号公報
【考案の開示】
【考案が解決しようとする課題】
【００１０】
そこで、本考案は、このような従来の要請に基づくものであって、異なる形状や大きさの複数の壜を固定して収容しうる固定構造を有し、長距離の輸送にも耐えうるように壜を強固に固定できる壜の収納容器を提供することを課題とする。
【課題を解決するための手段】
【００１１】
前記課題を解決するために、請求項１に記載の壜の収納容器にあっては、円筒形状に形成された胴部と、前記胴部の下端部を閉止するように固定された底部と、前記胴部の上端部を開閉可能に閉止する蓋体とを有する容器本体に、複数本の壜を前記胴部の軸方向に沿って収納しうる壜の収納容器であって、前記容器本体内方には、前記容器本体の内周面と当接するように配置された前記複数本の壜を、容器本体径方向内側より前記内周面に向って放射状に押圧して固定しうる壜押さえ具を備えていることを特徴とする。
【００１２】
従って、請求項１に記載の壜の収納容器は、容器本体内方には、容器本体の内周面と当接するように配置された複数本の壜を、容器本体径方向内側より内周面に向って放射状に押圧するように構成されていることから、各壜の胴部は、壜押さえ具と壜の収納容器の内周面とによって径方向に挟持されて固定される。
容器本体の胴部は、円筒形状に形成されているため、容器本体内方から径方向外方に向って放射状に発生する応力に対して高い強度を有する。
【００１３】
請求項２に記載の壜の収納容器にあっては、前記壜押さえ具は、円筒形状に巻回された段ボール材によって形成され、前記複数本の壜の間には、各壜間の衝突を防ぐ仕切を有していることを特徴とする。
【００１４】
従って、請求項２に記載の壜の収納容器は、複数の壜は、巻回された段ボール材によって、径方向内側より収納容器の内周面へと強く押圧されることにより挟持されて固定される。また、壜は仕切によって互いに衝突することを防ぐことができる。また、仕切の厚さ寸法を大きくして複数の壜の間に隙間なく詰めることにより、複数の壜の周方向への移動が抑制される。
【００１５】
請求項３に記載の壜の収納容器にあっては、前記胴部は、剛性を有する紙管によって形成されると共に、前記底部は中密度繊維板（ＭＤＦ）によって形成されており、前記底部は、前記容器本体を床面に載置した際に床面と接触しないよう底上げして胴部に固定され、スツールとして使用可能に形成されていることを特徴とする。
【００１６】
従って、請求項３に記載の壜の収納容器は、胴部は、紙管で構成されていることから、重量が軽く、高い強度を得ることが出来る。
【００１７】
請求項４に記載の壜の収納容器にあっては、前記容器本体と前記蓋体の外周面には、コルクシートが貼着されていることを特徴とする。
【００１８】
従って、請求項４に記載の壜の収納容器は、円筒形状の容器本体の外周面には、コルクシートが貼着されていることから、全体がコルク栓のような外観品質を呈する。
【考案の効果】
【００１９】
請求項１に記載の壜の収納容器にあっては、容器本体の内周面と当接するように配置された複数本の壜を、例えば、容器本体径方向中央に形成された間隙に壜押さえ具を詰め込むことにより、容器本体径方向内側より内周面に向って放射状に押圧するように構成されていることから、異なる形状や大きさの壜を含む場合であっても、収納して固定することができる。
【００２０】
各壜の胴部は、壜押さえ具と壜の収納容器の内周面とによって径方向に挟持されて固定されることにより、しっかりと固定することができる。
また、容器本体の胴部は、円筒形状に形成されているため、容器本体内方から径方向外方に向かって放射状に発生する応力に対して高い強度を有するため、壜押さえ具を強固に詰めた場合であっても、容器本体が変形することがないため、長距離の輸送等にも耐えうるように、より強く固定することができる。
【００２１】
請求項２に記載の壜の収納容器にあっては、複数の壜は、巻回された段ボール材によって、径方向内側より収納容器の内周面へと強く押圧されることにより挟持されて固定されるため、特別な壜押さえ具を用意する必要はなく、安価である。
【００２２】
また、壜の形状、大きさ、収納本数に応じて生じる空隙の大きさ、形状の変化に対して、段ボール材の巻き回数を増減させることによって、簡単に壜押さえ具の直径を調節でき、適切な押し圧力を得ることができる。
【００２３】
段ボール材は円筒形に形成されているため、各壜の軸方向に沿って詰め込むことによって各壜の胴部との接触面積を大きくすることができ、より安定的に固定することができる。また、壜は仕切によって互いに衝突することを防ぐことができるため、輸送途中における壜の破損等が軽減される。
【００２４】
また、仕切の厚さ寸法を大きくして複数の壜の間に隙間なく詰めることにより、複数の壜の周方向への移動が抑制されて、輸送中の衝撃等による壜の損傷等が軽減される。
【００２５】
請求項３に記載の壜の収納容器にあっては、胴部は、紙管で構成されていることから、重量が軽く、高い強度を得ることができ、例えば、人体の重さに耐えうるように構成した場合には、壜の収納容器として利用した後、全体が円筒形状で内方に収納を有するスツールとしても使用することができる。
【００２６】
また、前記底部は、前記容器本体を床面に載置した際に床面と接触しないよう底上げして胴部に固定されていることから、床面に凹凸がある場所に載置した場合であっても、がたつきなく載置することができるため、スツールとしての利用場面が広がる。
【００２７】
請求項４に記載の壜の収納容器にあっては、全体がコルク栓のような外観品質を呈することから、例えば、ワインの贈呈品に用いることにより、需要喚起することができる。
【図面の簡単な説明】
【００２８】
【図１】図１は、本考案に係る壜の収納容器の一実施の形態を示した斜視図である。
【図２】図２は、本考案に係る壜の収納容器の一実施の形態を示し、壜を収納及び固定した状態を示す平面図である。
【図３】図３は、本考案に係る壜の収納容器の一実施の形態を示し、図２におけるIII−III断面図である。
【考案を実施するための最良の形態】
【００２９】
以下、本考案に係る壜の収納容器を実施の形態に基づき、図面を参照して詳細に説明する。
【００３０】
図１から図３に示すように、壜の収納容器１０は、円筒形状に形成された胴部１１と、胴部１１の下端部１２を閉止するように固定された底部１３と、胴部１１の上端部１４を開閉可能に閉止する蓋体１５とを有する容器本体１６に、６本の壜１７を胴部１１の軸方向に沿って収納しうるように形成されている。
【００３１】
本実施の形態においては、６本の壜１７は、略円筒形状の壜本体部２７に細径の壜口部２８を有するワイン壜であり、うち５本が径の大きい大壜２５、残りの１本が大壜２５よりもやや壜本体部２７の径の小さい小壜２６である。
【００３２】
蓋体１５には、円環状の係合部２２が設けられており、係合部２２の外周面２３は、容器本体１６を閉止する際に容器本体１６の内周面１８と接する径に形成されると共に、先端に向うにつれて徐々に径が小さくなる縮径部２４を有している。
【００３３】
容器本体１６の外周面には、コルクシート２１が貼着されている。
容器本体１６内方の中心部には、容器本体１６の内周面１８と当接するように配置された６本の壜１７を、容器本体１６径方向内側より内周面１８に向って放射状に押圧して固定しうる壜押さえ具１９が配置されている。
【００３４】
図２に示すように、本実施の形態においては、壜押さえ具１９は、円筒形状に巻回された段ボール材によって形成されており、圧縮して詰め込んでいるため、壜押さえ具１９の周縁は壜本体部２７の形状を反映して凹んでいる。
【００３５】
６本の壜１７の間には、各壜間の衝突を防ぐ仕切材２０を有している。本実施の形態においては、仕切材２０は適宜大きさに切り分けた段ボール材である。
図２に示すように、小壜２６と隣接する仕切材２０，２０とは間隙が形成されているが、輸送中の破損等を軽減するために隣接する仕切材２０，２０を２枚重ねとするなど適宜変更可能である。
【００３６】
胴部１１は、所定の剛性を有する紙管によって形成されると共に、底部１３は中密度繊維板（ＭＤＦ）によって形成されており、底部１３は、容器本体１６を床面に載置した際に床面と接触しないよう底上げして胴部１１に固定され、スツールとして使用可能に形成されている。
【００３７】
底部１３は、円盤形状に形成され、周縁が内周面１８と接する大きさに形成されている。底上げは、胴部１１よりも一回り小さい径を有する短形の紙管で形成された底上部材２９を胴部１１の内周面１８に貼りつけ、上端部１４より、底部１３を導入することにより、底部１３が、下端部１２よりも２ｃｍ底上げされるように構成されている。
【００３８】
６本の壜１７は、底部１３上に載置されているが、輸送中の破損等を軽減するために底部１３上に緩衝材を施す等の変更を適宜行っても良い。
【００３９】
以下、本考案に係る壜の収納容器の作用について、図面を参照して詳細に説明する。
図２に示すように、壜の収納容器１０は、円筒形状に形成された胴部１１を有する容器本体１６に、５本の大壜２５と１本の小壜２６を胴部１１の軸方向に沿って、大壜２５、小壜２６の周面が容器本体１６の内周面１８と当接するように配置される。
【００４０】
平面視において容器本体１６の中央に形成された空隙に、段ボール材を巻回して形成される壜押さえ具１９を軸方向に沿って変形を伴いながら詰め込むことによって、６本の壜１７は、壜押さえ具１９の反発力により、容器本体１６の内周面１８に向って押圧されることにより、壜押さえ具１９と内周面１８に挟持されて固定される。
【００４１】
容器本体１６は円筒形状に形成され、内周面１８には、およそ均等に応力が作用するため、大壜２５、小壜２６を密接させて収納した場合にも容器本体１６は変形しにくい。
【００４２】
また、図２に示すように、５本の大壜２５と１本の小壜２６といった異なる径のワイン壜を収納した場合であっても、壜押さえ具１９の巻回数を調整、あるいは、詰め込む際の平面視の形状を調整することによって、しっかりと固定することができる。運搬時には、６本の壜１７の上面にはさらに緩衝材（図示せず）を挿入充填して、蓋体１５を容器本体１６に固定した状態で閉止することにより、大壜２５、小壜２６の軸方向の移動を防止でき、より安全確実に固定できる。
【００４３】
図１に示すように、容器本体１６の外周面にはコルクシート２１が貼着されているため、蓋体１５で上端部１４を閉止した際には、円筒形状のコルク栓のような外観品質を呈する。また、運搬時には、コルクシート２１がクッション材となり、大壜２５、小壜２６を衝撃から保護する。
【００４４】
前記実施の形態においては、壜押さえ具１９は、巻回された段ボール材である例を説明したが、これに限定されることはなく、適宜選択されうる。
【産業上の利用可能性】
【００４５】
本考案に係る壜の収納容器は、例えば酒類の販売等において輸送用の容器として用いることができるため、産業上の利用可能性を有している。
【符号の説明】
【００４６】
１０    壜の収納容器
１１    胴部
１２    下端部
１３    底部
１４    上端部
１５    蓋体
１６    容器本体
１７    ６本の壜
１８    内周面
１９    壜押さえ具（巻回された段ボール材）
２０    仕切材（段ボール材）
２１    コルクシート
２２    係合部
２３    外周面
２４    縮径部
２５    大壜
２６    小壜
２７    壜本体部
２８    壜口部
２９    底上部材
【図１】
0003196939.tif 000003
【図２】
0003196939.tif 000004
【図３】
0003196939.tif 000005